(57)【要約】      （修正有）【課題】ユザー装置（UE）に対するコール連続性を維持するためのハンドオーバー技法を提供する。【解決手段】UEは、パケット切替（PS）コールのために、広帯域CDMAにけるハイ・スピード・パケット・アクセスによるボイス・オーバー・インターネット・プロトコル（VoIP）のために、無線アクセス・ネットワーク（RAN）における第１のセルと通信し、測定レポートをRANに送り、そしてRANからトリガを受信する。また、PSコールが第１のセルにおいてペンデイングである間に第１のセルに対して回路切替（CS）コールを確立してもよい。PSコール及びCSコールは、音声コールのためのものであり、音声コールのためのデータ経路をPSコールからCSコールへと切替えてPSコールを終了する。その後、UEは、第１のセルからVoIPを支援しなくてもよい第２のセルへのCSコールのハンドオーバーを実行する。【選択図】図２
2015222962.tif 000002
【特許請求の範囲】
【請求項１】
パケット切替（PS）コールのための第１のセルと通信するための、無線アクセス・ネットワーク（RAN）からトリガを受信するための、前記トリガに応答して前記PSコールが前記第１のセルにおいてペンデイングである間に前記第１のセルに対して回路切替（CS）コールを確立するための、前記CSコールを確立した後に前記PSコールを終了するための、そして前記第１のセルから前記第２のセルへの前記CSコールのハンドオーバーを実行するための少なくとも１つのプロセッサと、
前記少なくとも１つのプロセッサに結合されたメモリとを備える、無線通信のための装置。
【請求項２】
前記PSコールおよび前記CSコールは、音声コールに対するものであり、前記少なくとも１つのプロセッサは、前記CSコールを確立した後に前記音声コールに対するデータ経路を前記PSコールから前記CSコールへと切り替える、請求項１の装置。
【請求項３】
前記PSコールは、ボイス・オーバー・インターネット・プロトコル（VoIP）に対するものであり、前記第１のセルはVoIPを支援し、前記第２のセルはVoIPを支援しない、請求項１の装置。
【請求項４】
前記少なくとも１つのプロセッサは、測定レポートを前記RANに送信し、前記RANからのトリガは前記測定レポートに基づく、請求項１の装置。
【請求項５】
前記少なくとも１つのプロセッサは、前記RANから測定イベントを受信しかつ該測定イベントに応答して前記測定レポートを送信する、請求項４の装置。
【請求項６】
前記少なくとも１つのプロセッサは、前記第１のセルおよび近隣のセルに対する測定を取得しかつ該測定に基づいてハンドオーバーを実行するための決定を行う、請求項１の装置。
【請求項７】
前記少なくとも１つのプロセッサは、前記PSコールのためにハイ・スピード・パケット・アクセス（HSPA）によって前記第１のセルと通信する、請求項１の装置。
【請求項８】
前記少なくとも１つのプロセッサは、前記PSコールのためにハイ・レート・パケット・データ（HRPD）によって前記第１のセルと通信する、請求項１の装置。
【請求項９】
前記第１のセルはW-CDMAセルであり、前記第２のセルは他のW-CDMAセルまたはGSM(登録商標）セルである、請求項１の装置。
【請求項１０】
パケット切替（PS）コールのために第１のセルと通信すること、
無線アクセス・ネットワーク（RAN）からトリガを受信すること、
前記PSコールが前記第１のセルにおいてペンデイングである間に前記トリガに応答して前記第１のセルに対して回路切替（CS）コールを確立すること、
前記CSコールを確立した後に前記PSコールを終了すること、
前記第１のセルから第２のセルへの前記CSコールのハンドオーバーを実行することを備える、無線通信のための方法。
【請求項１１】
測定レポートを前記RANに送ることを更に備え、前記RANからの前記トリガは前記測定レポートに基づく、請求項１０の方法。
【請求項１２】
前記PSコールのために前記第１のセルと通信することは、
前記PSコールのためにハイ・スピード・パケット・アクセス（HSPA）によって前記第１のセルと通信することを備える、請求項１０の方法。
【請求項１３】
パケット切替（PS）コールのために第１のセルと通信するための手段と、
無線アクセス・ネットワーク（RAN）からトリガを受信するための手段と、
前記PSコールが前記第１のセルにおいてペンデイングである間に前記トリガに応答して前記第１のセルに対して回路切替（CS）コールを確立するための手段と、
前記CSコールを確立した後で前記PSコールを終了するための手段と、
前記第１のセルから第２のセルへの前記CSコールのハンドオーバーを実行するための手段とを備える、無線通信のための装置。
【請求項１４】
測定レポートを前記RANに送信するための手段を更に備え、
前記RANからの前記トリガは前記測定レポートに基づく、請求項１３の装置。
【請求項１５】
前記PSコールのために前記第１のセルと通信するための手段は、
前記PSコールのためにハイ・スピード・パケット・アクセス（HSPA）によって前記第１のセルと通信するための手段を備える、請求項１３の装置。
【請求項１６】
パケット切替（PS）コールのために第１のセルと通信するため、
無線アクセス・ネットワーク（RAN）からトリガを受信するため、
前記PSコールが前記第１のセルにおいてペンデイングである間に前記トリガに応答して前記第１のセルに対して回路切替（CS）コールを確立するため、
前記CSコールを確立した後で前記PSコールを終了するため、
前記第１のセルから第２のセルへの前記CSコールのハンドオーバーを実行するために、ユーザ装置（UE）において動作可能な命令を記憶するためのプロセッサ可読媒体。
【請求項１７】
第１のセルにおいてパケット切替（PS）コールのためにユーザ装置（UE）と通信するため、トリガを前記UEに送信するため、前記PSコールがペンデイングである間に前記第１のセルにおいて前記UEに対する回路切替（CS）コールを確立するため、前記CSコールを確立した後で前記UEのための前記PSコールを終了するため、および前記第１のセルから第２のセルへの前記UEに対する前記CSコールのハンドオーバーを実行するための少なくとも１つのプロセッサと、
前記少なくとも１つのプロセッサに結合されたメモリとを備える、無線通信のための装置。
【請求項１８】
前記PSコールおよび前記CSコールは音声コールに対するものであり、前記少なくとも１つのプロセッサは、
前記CSコールを確立した後で前記音声コールに対するデータ経路を前記PSコールから前記CSコールへと切り替える、請求項１７の装置。
【請求項１９】
前記PSコールは、ボイス・オーバー・インターネット・プロトコル（VoIP）に対するものであり、前記第１のセルはVoIPを支援し、前記第２のセルはVoIPを支援しない、請求項１７の装置。
【請求項２０】
前記少なくとも１つのプロセッサは、前記UEから測定レポートを受信し、該測定レポートに基づいて前記第１のセルから前記第２のセルへと前記UEをハンドオーバーする決定を行い、そして該決定に応答して前記トリガを前記UEに送る、請求項１７の装置。
【請求項２１】
前記少なくとも１つのプロセッサは、前記UEが前記PSコールに対するカバレージ縁部にあることを判定し、そして前記UEに前記測定レポートを送信させるために測定イベントを前記UEに送信する、請求項２０の装置。
【請求項２２】
前記少なくとも１つのプロセッサは、前記PSコールのためにハイ・スピード・パケット・アクセス（HSPA）によって前記UEと通信する、請求項１７の装置。
【請求項２３】
前記少なくとも１つのプロセッサは、前記第１のセルがハイ・スピード・パケット・アクセス（HSPA）ボイス・オーバー・インターネット・プロトコル（VoIP）能力を有することを示す情報を放送する、請求項１７の装置。
【請求項２４】
第１のセルにおいてパケット切替（PS）コールのためにユーザ装置（UE）と通信すること、
トリガを前記UEに送信すること、
前記PSコールがペンデイングである間に前記第１のセルにおいて前記UEに対して回路切替（CS）コールを確立すること、
前記CSコールを確立した後で前記UEに対する前記PSコールを終了すること、
前記第１のセルから第２のセルへの前記UEに対する前記CSコールのハンドオーバーを実行することを備える、無線通信のための方法。
【請求項２５】
測定リポートを前記UEから受信すること、および
前記測定レポートに基づいて前記第１のセルから前記第２のセルへと前記UEをハンドオーバーする決定をおこなうことを更に備え、
該決定に応答して、前記トリガが前記UEへ送信される、請求項２４の方法。
【請求項２６】
前記PSコールのために前記UEと通信することは、
前記PSコールのためにハイ・スピード・パケット・アクセス（HSPA）によって前記UEと通信することを備える、請求項２４の方法。
【請求項２７】
前記第１のセルは、ハイ・スピード・パケット・アクセス（HSPA）ボイス・オーバー・インターネット・プロトコル（VoIP）能力を有することを示す情報を放送することを更に備える、請求項２４の方法。
【請求項２８】
無線アクセス・ネットワーク（RAN）からトリガを受信するための、該トリガに応答して第１のセルから第２のセルへの回路切替（CS）コールのハンドオーバーを実行するための、前記CSコールが前記第２のセルにおいてペンデイングである間に前記第２のセルに対してパケット切替（PS）コールを確立するための、前記PSコールを確立した後で前記CSコールを終了するための、および前記PSコールのために前記第２のセルと通信するための少なくとも１つのプロセッサと、
前記少なくとも１つのプロセッサに結合されたメモリとを備える、無線通信のための装置。
【請求項２９】
前記少なくとも１つのプロセッサは、測定レポートを前記RANに送信し、該RANからの前記トリガは前記測定レポートに基づく、請求項２８の装置。
【請求項３０】
前記少なくとも１つのプロセッサは、前記PSコールのためにハイ・スピード・パケット・アクセス（HSPA）によって前記第２のセルと通信する、請求項２８の装置。
【請求項３１】
ユーザ装置（UE）にトリガを送信するための、第１のセルから第２のセルへの前記UEに対する回路切替（CS）コールのハンドオーバーを実行するための、前記CSコールが前記第２のセルにおいてペンデイングである間に前記第２のセルにおいて前記UEに対する回路切替（CS）コールを確立するための、前記PSコールを確立した後で前記UEに対するCSコールを終了するための、および前記第２のセルにおいて前記PSコールのために前記UEと通信するための少なくとも１つのプロセッサと、
前記少なくとも１つのプロセッサに結合されたメモリとを備える、無線通信のための装置。
【請求項３２】
１つのセルがボイス・オーバー・インターネット・プロトコル（VoIP）能力を有するかどうかを示す該セルからの放送情報を受信するための、および前記放送情報に基づいてネットワークに対する登録を更新するための少なくとも１つのプロセッサと、
前記少なくとも１つのプロセッサに結合されたメモリとを備える、無線通信のための装置。
【請求項３３】
前記少なくとも１つのプロセッサは、アイドル・モードにある間に前記セルから放送情報を受信し、該放送情報に基づいて新しいコールに対して使用するためのドメインを判定し、そしてドメインの変更が検知されると前記ネットワークに対する登録を更新する、請求項３２の装置。
【請求項３４】
前記少なくとも１つのプロセッサは、前記セルがVoIP能力を有していればパケット切替（PS）ドメインのためのネットワークに対して登録し、前記セルがVoIP能力を有していなければ回路切替（CS）ドメインのためのネットワークに対して登録する、請求項３３の装置。
【請求項３５】
前記放送情報は、前記セルがハイ・スピード・パケット・アクセス（HSPA）VoIP能力を有するかどうかを示すビットを備える、請求項３２の装置。
【請求項３６】
１つのセルがボイス・オーバー・インターネット・プロトコル（VoIP）能力を有するかどうかを示す該セルからの放送情報を受信すること、および
前記放送情報に基づいてネットワークに対する登録を更新することを備える、無線通信のための方法。
【請求項３７】
アイドル・モードにある間に前記放送情報が前記セルから受信され、前記ネットワークに対する登録を更新することは、
前記放送情報に基づいて新しいコールのために使用するためのドメインを判定すること、および
ドメインの変更が検知されると前記ネットワークに対する登録を更新することを備える、請求項３６の方法。
【請求項３８】
１つのセルがボイス・オーバー・インターネット・プロトコル（VoIP）能力を有するかどうかを示す該セルからの放送情報を受信するための手段と、
前記放送情報に基づいてネットワークに対する登録を更新するための手段とを備える、無線通信のための装置。
【請求項３９】
アイドル・モードにある間に前記セルから前記放送情報が受信され、前記ネットワークに対する登録を更新するための手段は、
前記放送情報に基づいて新しいコールに対して使用するためのドメインを判定するための手段と、
ドメインの変更が検知されると前記ネットワークに対する登録を更新するための手段とを備える、請求項３８の装置。
【発明の詳細な説明】
【技術分野】
【０００１】
本発明は、一般的には通信に関し、さらに具体的には無線通信においてコール連続性（call continuity）を維持するための技法に関する。
【背景技術】
【０００２】
無線通信ネットワークは、音声、ビデオ、パケット・データ、メッセージ通信（messaging）、放送等のような種々の通信サービスを提供するために広く利用される。これらのネットワークは、有効なネットワーク・リソースを共有（sharing）することによって多数のユーザに対して通信を支援する（supporting）ことができる多重アクセス・ネットワーク（multiple-access networks）であってもよい。このような多重アクセス・ネットワークの例は、符号分割多重アクセス・ネットワーク（Code Division Multiple Access (CDMA) networks）、時分割多重アクセス・ネットワーク（Time Division Multiple Access (TDMA) networks）、周波数分割多重アクセス・ネットワーク（Frequency Division Multiple Access (FDMA) networks）、直交ＦＤＭＡネットワーク（Orthogonal FDMA (OFDMA) networks）および単一キャリア・ネットワーク（Single-Carrier FDMA (SC-FDMA) networks）を含む。
【０００３】
CDMA ネットワークは、ユニバーサル・テレストリアル・ラジオ・アクセス・ネットワーク（Universal Terrestrial Radio Access Network ）(UTRA)、cdma2000、等のような無線アクセス技術（radio access technology ）(RAT)を実装してもよい。UTRAは、広帯域ＣＤＭＡ（Wideband CDMA ）(W-CDMA（登録商標）)およびロー・チップ・レート（Low Chip Rate ） (LCR)を含む。cdma2000は、IS-2000、IS-95およびIS-856標準をカバーする。TDMAネットワークは、モバイル通信用グローバル・システム（Global System for Mobile Communications）(GSM(登録商標）)のようなRATを実装してもよい。種々のRATおよび標準が公知である。UTRA およびGSM(登録商標）は、「第三世代パートナーシップ・プロジェクト」（ “3rd Generation Partnership Project”）(3GPP)という名称の機関からの文書に記載されている。cdma2000は、「第三世代パートナーシップ・プロジェクト２」（“3rd Generation Partnership Project 2”）(3GPP2)という名称の文書に記載されている。3GPP および3GPP2文書は一般に入手可能である。
【０００４】
異なるRATは通常は異なる能力を有し、そして所定のRATの異なるリリースも異なる能力を有していてもよい。例えば、GSM(登録商標）は、音声およびロー・レート・データ・サービス（voice and low rate data services ）を支援する第二世代(2G) RAT（a second-generation (2G) RAT）である。W-CDMAは、同時音声およびデータ・サービス、より高いデータ速度、および他の改善された特徴を支援する第三世代(3G) RAT （third-generation (3G) RAT）である。各RATは、回路切替（circuit-switched）（ＣＳ）および（または）パケット切替（packet-switched）（ＰＳ）コールを支援してもよい。回路切替とは、ユーザに割り当てられる専用リソース（例えば、専用トラフィック・チャンネル（dedicated traffic channel））によるユーザに対するデータの転送をいう。パケット切替とは、多数のユーザによって共有されうる共通のリソース（例えば、共有トラフィック・チャンネル（shared traffic channel）によるユーザに対するデータの転送をいう。
【０００５】
ユーザ装置（user equipment）(UE)は、W-CDMAおよびGSM(登録商標）のような異なるRAT（複数）の無線ネットワークと通信することができてもよい。この能力は、ユーザが同じUEに対してW-CDMAの性能利点（performance advantages）およびGSM(登録商標）のカバレージ利益（coverage benefits）を取得できるようになしうる。UEは、１つの無線ネットワークに対して音声コール（voice call）を有してもよく、また、そのネットワーク全体にわたってまたは他の無線ネットワークにローミング（roam）してもよい。UEは、ユーザがローミング（roams about）している際に、音声コール（voice call）を維持することが望ましい。
【０００６】
従って、無線通信にコール連続性（call continuity）を維持するための技法に対する技術的な必要性が存在する。
【発明の概要】
【０００７】
UEに対してコール連続性（call continuity）を維持するためにパケット切替から回路切替への(PS-to-CS)ハンドオーバーおよび回路切替からパケット切替への(CS-to-PS)ハンドオーバーを実行するための技法がここに記述される。PS-to-CSハンドオーバーの１つのデザインでは、UEは、PSコールに対する、例えば、W-CDMAにおけるハイ・スピード・パケット・アクセス（High-Speed Packet Access）(HSPA)によるボイス・オーバー・インターネット・プロトコル（Voice-over-Internet Protocol）(VoIP)に対する無線アクセス・ネットワーク（radio access network）(RAN)における第１のセル（first cell）と通信してもよい。UEは、測定レポートをRANに送信してもよく、かつRANからトリガ（trigger）を受信してもよい。そのトリガに応答して、UEは、PSコールが第１のセルでペンデイング（pending）である間に、第１のセルに対してCSコールを確立してもよい。UEまたはネットワークは、CSコールを確立した後でPSコールを終了してもよい。PSコールおよびCSコールは、音声コール（voice call）に対するものであってもよく、そしてUEまたはネットワークは、CSコールを確立し後でかつPSコールを終了する前に、音声コールに対するデータ経路をPSコールからCSコールに切り替えてもよい。UEは、次に、第１のセルから第２のセルへのCSコールのハンドオーバーを行ってもよい。第１のセルは、VoIPを支援するW-CDMAセルであってもよく、そして第２のセルは、VoIPを支援しない他のW-CDMAセルまたはGSM(登録商標）セルであってもよい。
【０００８】
他の態様では、UEは、１つのセルがVoIP能力を有するかどうかを示す放送情報をそのセルから受信してもよい。UEは、放送情報に基づいてネットワークに対する登録を更新してもよい。UEは、セルがVoIP能力を有している場合には、PSドメインにおけるコールを受信してもよく、セルがVoIP能力を有していない場合には、CSドメインにおけるコールを受信するためにネットワークに登録してもよい。UEは、それがアイドル・モード（idle mode）でありページおよびコールがそのUEに適切に配信されうる間に、登録を更新してもよい。
【図面の簡単な説明】
【０００９】
【図１】図１は、RANおよびコア・ネットワークの配置を示す。
【図２】図２は、3GPPに対する例示配置シナリオを示す。
【図３Ａ】図３Ａは、UEに対するHSPA VoIP to W-CDMA CSハンドオーバー（HSPA VoIPからW-CDMA CSへのハンドオーバー）を示す。
【図３Ｂ】図３Ｂは、UEに対するHSPA VoIP to W-CDMA CSハンドオーバーを示す。
【図３Ｃ】図３Ｃは、UEに対するHSPA VoIP to W-CDMA CSハンドオーバーを示す。
【図３Ｄ】図３Ｄは、UEに対するHSPA VoIP to W-CDMA CSハンドオーバーを示す。
【図３Ｅ】図３Ｅは、UEに対するHSPA VoIP to W-CDMA CSハンドオーバーを示す。
【図４】図４は、UEによりPS-to-CSハンドオーバーを実行するためのプロセスを示す。
【図５】図５は、RANによりUEのPS-to-CSハンドオーバーを実行するためのプロセスを示す。
【図６】図６は、UEによりCS-to-PSハンドオーバーを実行するためのプロセスを示す。
【図７】図７は、RANによりUEのCS-to-PSハンドオーバーを実行するためのプロセスを示す。
【図８】図８は、UEによりネットワーク登録を更新するためのプロセスを示す。
【図９】図９は、図１におけるUEおよびいくつかのネットワーク・エンテイテイのブロック図を示す。
【詳細な説明】
【００１０】
本発明の種々の態様および特徴が下記にさらに詳細に説明される。
【００１１】
ここに記述されるハンドオーバー技法（handover techniques）は、CDMA、TDMA、FDMA、 OFDMA、およびSC-FDMAネットワークのような無線通信ネットワークに対して利用されうる。「ネットワーク」（”network”）および「システム」（”system”）という用語は、互換可能に用いられることが多い。明瞭のために、この技法は、3GPPベース・ネットワーク（3GPP-based networks）に対して以下において具体的に説明される。
【００１２】
図１は、UE（複数）に対する通信を支援するユニバーサル・テレストリアル・ラジオ・アクセス・ネットワーク（Universal Terrestrial Radio Access Network ）(UTRAN)120およびコア・ネットワーク（core network）130の例示配置（example deployment ）100を示している。簡単のために、図１には１つのUE 110だけが図示されている。UE 110は、モバイル・ステーション（mobile station）、アクセス・ターミナル（access terminal）、加入者装置（subscriber unit）、ステーション（station）、等とも呼称されうる。UE 110は、携帯電話、携帯情報端末（personal digital assistant ）(PDA)、無線デバイス、無線モデム、ハンドヘルド・デバイス（handheld device）、ラップトップコンピュータ、等であってもよい。
【００１３】
UTRAN 120は、無線ネットワーク・コントローラ（RNC（複数））に結合されたノードＢ（複数）（Node Bs）を含む。簡単のために、図１には、３つのノードＢ 120a、120b、および120nだけが単一のRNCに結合されて示されている。一般に、UTRAN 120は、任意の数のノードＢおよび任意の数のRNCを含んでいてもよい。各RNCは、各組のノードＢ（複数）とそして場合によっては１つまたはそれより多い他のRNCに結合してもよい。ノードＢはまた、エボルブド・ノードＢ（evolved Node B）(eNode B)、ベース・ステーション、アクセンス・ポイント、等とも呼称されてもよい。各ノードＢは、それのカバレージ・エリア（coverage area）内でUE（複数）に対する無線通信を支援する。ここで用いられるように、「セル」（”cell”）は、この用語が用いられる状況に応じて、無線ネットワークにおけるカバレージの最小単位および（または）このカバレージ・エリア（coverage area）に関与するノードＢを指すことができる。「セル」（“cell”）および「ノードB」（ “Node B”）という用語は、下記の説明では互換可能に用いられる。RNC 124は、ノードＢ 122に対する調整および規制を与える。例えば、RNC 124は、無線リソース管理（radio resource management）、いくつかの移動度管理機能（mobility management functions）、およびUE（複数）とUTRAN 120との間の通信を支援するための他の機能を実行する。
【００１４】
コア・ネットワーク130は、サービング・ゼネラル・パケット無線サービス(GPRS)サポート・ノード(GGSN) 132（Serving General Packet Radio Service (GPRS) Support Node (SGSN) 132）、ゲートウエイGPRSサポート・ノード(GGSN) 134（Gateway GPRS Support Node (GGSN) 134）、モバイル切替センター（Mobile Switching Center ）(MSC) 136、およびCSコールおよびPSコールをアンカー（anchor）できる音声コール連続性アプリケーション・サーバー（Voice Call Continuity Application Server） (VCC AS) 138を含む。SGSN 132は、UTRAN 120とGGSN 134との間のデータ・パケットの交換を容易にし、かつPSコールを有するUE（複数）に対する移動度管理（mobility management）を行う。SGSN 132は、UTRAN 120におけるRNC 124とインタフェースを形成し、かつUTRANと通信するUEに対するＰＳサービスを支援する。GGSN 134は、経路選択機能（routing function）を実行し、かつ外部データ・ネットワークとデータ・パケットを交換する。MSC 136は、ＣＳサービス（例えば、音声に対する）を支援し、かつCSコールでUE（複数）に対する移動度管理を行う。VCC AS 138は、UE（複数）に対する音声コール連続性（voice call continuity）を支援し、かつCSドメインと、PSドメインを利用するＩＰマルチメデイア・サブシステム（IP Multimedia Subsystem）(IMS)との間の音声コール（voice calls）を転送する能力を提供する。IMSは、ユーザにＩＰマルチメデイア・サービスを送るための建築フレームワーク（architectural framework）である。CSコールおよび（または）PS コールでありうるUE 110に対するすべての音声コールは、VCC AS 138にアンカー（anchored）されてもよい。VCC AS 138は、UE 110が移動する場合に、適切なドメイン（domain）に音声コール（voice call）をハンドオーバー（handover）するための機能を実行してもよい。VCC AS 138は、VCC AS 138に呼び込み（“calling into”）かつ音声コールを新しいドメインに移動することにより、UE 110をCSドメインおよびPSドメイン間で移動できるようにする。
【００１５】
簡単のために、SGSN 132, GGSN 134, MSC 136, and VCC AS 138は、図１では同じコア・ネットワークに属して示されている。一般に、これらのネットワーク・エンテイテイ（network entities）は同じネットワークまたは異なるネットワークに属していてもよい。例えば、VCC AS 138は、UE 110に対するホーム・ネットワークに属していてもよく、そして他のネットワーク・エンテイテイは、（例えば、UE 110がローミングしていない場合には）ホームネットワークにまたは（例えば、UE 110がローミングしている場合には）訪問ネットワーク（visited network）に属してもよい。
【００１６】
UTRAN 120およびコア・ネットワーク130におけるネットワーク・エンテイテイは、“Network architecture,” March 2006「ネットワーク・アーキテクチャ」２００６年３月（Network architecture,” March 2006）というタイトルの3GPP TS 23.002、および「回路切替（ＣＳ）およびＩＰマルチメデイアサブシステム(IMS)間の音声コール連続性」２００７年３月（“Voice Call Continuity (VCC) between Circuit Switched (CS) and IP Multimedia Subsystem (IMS),” March 2007）というタイトルのTS 23.206に記載されている。これらの文書は一般に入手可能である。
【００１７】
UTRAN 120は、3GPP リリース99以来、W-CDMAを実装する。3GPPリリース5およびそれ以降は、3GPPリリース5に導入されたハイ・スピード・ダウンリンク・パケット・アクセス（High-Speed Downlink Packet Access）(HSDPA)および3GPP リリース6に導入されたハイ・スピード・アップリンク・パケット・アクセス（High-Speed Uplink Packet Access ） (HSUPA)を含むハイ・スピード・パケット・アクセス（High-Speed Packet Access ）(HSPA)を支援する。HSDPAは、ダウンリンク上での高速パケットデータ伝送を可能にする１つの組のチャンネル（channels）および手順（procedures）である。HSUPAは、アップリンク上での高速パケットデータ伝送を可能にする１つの組のチャンネル（channels）および手順（procedures）である。HSPAは、パケット・データ・サービス、VoIP、等のようなＰＳサービスを支援する。VoIP コールは、音声データが専用のトラフィック・チャンネル（traffic channel）によるのではなくて他のパケット・データのように経路指定されるパケットで送られる音声のためのPSコールである。
【００１８】
図２は、3GPPのための例示配置シナリオ（example deployment scenario）を示す。GSM (登録商標）は、UE（複数）に対するCSサービスを支援し、かつ広い地理的領域にわたって配置されてもよい。W-CDMAは、UE（複数）に対するCSおよびPSサービスを支援し、かつGSM(登録商標）より小さい地理的領域にわたって配置されてもよい。W-CDMAに対するカバレージ・エリアは、完全にGSM(登録商標）に対するカバレージ・エリア内に存在していてもよく（図２に示されているように）、あるいはGSM(登録商標）に対するカバレージ・エリアと部分的にオーバーラップしていてもよい（図２には示されていない）。HSPAは、UE（複数）に対するPSサービス（例えば、VoIP）を支援し、かつW-CDMAよりも小さい地理的領域にわたって配置されうる。HSPAに対するカバレージ・エリアは、W-CDMAに対するカバレージ・エリアの一部に相当する程度であってもよい。
【００１９】
UE 110は、HSPAカバレージ・エリア内に配置されてもよく、またUTRAN 120内でVoIPコールを確立してもよい。VoIP コールは、VoIPのようなＩＰベース対話ユーザ・セッション（IP-based interactive user sessions）を開始し、修正し、終了するためのシグナリング・プロトコル（signaling protocol）であるセッション・イニシエーション・プロトコル（Session Initiation Protocol）(SIP)を用いてＩＭＳエンテイテイ（IMS entities）によって確立されてもよい。UTRAN 120は、UE 110が音声コールに対して確立された無線アクセス・ベアラ（radio access bearers ）(RAB) 、例えばSIPシグナリングを伴う従来のトラフィック・クラス（traffic class）に対するRAB（複数）に基づいたHSPA VoIPを有することを確認してもよい。代案では、UTRAN 120は、UE 110がUEとまたはコア・ネットワークと交換される明示的シグナリング（explicit signaling）に基づいたHSPA VoIPコールを有することを確認してもよい。UE 110は、VoIPコールに対するHSPAによって音声データ・パケットをUTRAN 120と交換してもよい。UE 110は、ローミングして、HSPAカバレージ・エリアからW-CDMAまたはGSM(登録商標）カバレージ・エリア内に移動してもよい。このような状況では、UE 110に対する音声コールを維持することが望ましい。
【００２０】
１つの態様では、HSPAカバレージ・エリアの外側を移動している時にUEに対する音声コール連続性を維持するために、HSPA VoIP to W-CDMA CSハンドオーバー（HSPA VoIPからW-CDMA CSへのハンドオーバー）がUE 110に対して実行されてもよい。HSPA VoIP to W-CDMA CSハンドオーバーの１つのデザインでは、UE 110は、VoIPコールが係属している間にまず同じセルでもってCSコールを確立してもよく、かつ音声コールをCSコールに転送してもよい。UE110は、次に、音声コールを維持するために、適切なように、W-CDMA CS to W-CDMA CSハンドオーバー（W-CDMA CSからW-CDMA CSへのハンドオーバー）またはW-CDMA CS to GSM(登録商標） CSハンドオーバー（W-CDMA CSからGSM(登録商標） CSへのハンドオーバー）を行ってもよい。HSPA VoIP to W-CDMA CSハンドオーバーが下記に記述される。
【００２１】
図３Ａは、UE 110と他のエンド・パーテイ（ＯＥＰ）との呼ばれるリモート・ターミナル150を有するVoIPコールのための種々のネットワーク・エンテイテイとの間の通信を示す。VoIPコールは、VCC AS 138にアンカーされうる。UE 110は、UTRAN 120内のサービング・セル（serving cell）122aおよびSGSN 132、GGSN 134、VCC AS 138、およびリモート・コントロール150によって音声データ・パケットを交換してもよい。パケットは、HSPAによってUE 110とサービング・セルとの間で交換されてもよい。
【００２２】
図３Ｂは、UE 110に対するHSPA VoIP to W-CDMA CSハンドオーバーの開始を示している。VoIPコールに対するUTRAN 120におけるサービング・セル122aと通信状態にある間に、UE 110は、他のセルからのパイロットを検知し、そしてサービング・セル122aおよび他のセルから受信されたパイロットの測定を行ってもよい。UE 110は、周期的にまたはレポーテイング・イベント（reporting event）によって実施される時に、測定レポートをUTRAN 120に送信する。あるいは、またはさらに、UE 110は、適当な時に、ロケーション・アップデート・メッセージ（location update messages）UTRAN 120に送信することができる。
【００２３】
UTRAN 120は、測定レポートをUE 110から受信し、かつこのUEがHSPAカバレージ・エリアから外に移動していることを判定してもよい。例えば、測定レポートは、セル122aからセル122bへのハンドオーバーを価値あるものにするのに十分な程度だけサービング・セル122aよりも強いセル122bからパイロット（pilot）を受信することを表示してもよい。UTRAN 120はまた、122aはHSPAを支援するが、セル122bはHSPAを支援しないことを認識しうる。UTRAN 120は、UE 110によるCSコール確立およびUE 110に対するPSからCSへのハンドオーバーを開始するためのトリガを送信してもよい。このトリガは、コマンド、VCC HOコマンド、指令、指示、等であると見なされうる。
【００２４】
図３Ｃは、VoIPに対するPSセッションがセル122aにおいてUE 110に対してペンデイング（pending）である間におけるCSコールのセットアップ（setup）を示す。UE 110は、UTRAN 120からのトリガを受信してもよい。UE 110は、そのトリガに応答してセル122aにおけるCS コールをMSC 136により確立してもよく、そしてこのCSコールをVCC AS 138にアンカーしてもよい。UMTS（またはW-CDMA）は、UE 110 にPSセッションに対して用いられる同じ無線リンクを用いてCSコールを確立させる。短い期間の間、UE 110は、同じセル122aにおけるCSコールとPSコールとの両方を同時に有してよく、かつ両方のコールをVCC AS 138にアンカーさせてもよい。PSコールに対する音声データ・パケットは、SGSN 132 およびGGSN 134を通じて送られてもよく、一方、CSコールに対するMSC 136を通じて送られてもよい。VCC AS 138は、例えば、CSコールおよびPSコールに対する同じUE識別名（UE ID）、同じOEP、等を用いることに基づいて、CSコールとPSコールは両方ともUE 110に対する同じ音声コールに対するものであることを認識してもよい。
【００２５】
図３Ｄは、UE 110に対する音声コールのHSPA VoIPからCSへの転送を示す。CSコールが首尾よく確立されると、VCC AS 138はUE 110に対する音声コールのデータ経路を切り替えてもよく、かつソース側におけるPSコールに対するリソースをリリース（release）してもよい。UTRAN 120は、PSコールに対する無線リソースをリリースしてもよく、そしてUE 110に対するCSコールだけを維持してもよい。この時点で、UE 110は、同じサービング・セルによるCSコールだけを有するであろう。CSコールに対するデータは、UTRAN 120、MSC 136、およびVCC AS 138によって交換されてもよい。
【００２６】
図３Ｅは、HSPA VoIP to W-CDMA CSハンドオーバーの終了を示す。UE 110が、セル122aにおいて音声コールからCSコールへの切替を終了すると、UE 110は、セル122aからHSPAを支援しないセル122bへのW-CDMA CS to W-CDMA CSハンドオーバーを実行してもよい。W-CDMA CS to W-CDMA CSハンドオーバーは、一般に入手可能な「ジェネラル・パケット・ラデイオ・サービス(GPRS)；サービス・デスクリプション」２００６年６月（“General Packet Radio Service (GPRS); Service description,” June 2006）というタイトルの3GPP TS 23.060に記載されている。図３Ｅには示されていないが、UE 110はまた、3GPPによって定義されているインターＲＡＴハンドオーバー手順（inter-RAT handover procedures）を用いてセル122aからGSM(登録商標）セルまで実行してもよい。
【００２７】
下記のハンドオーバー・シナリオ（handover scenarios）が支援されうる。
【００２８】
HSPA VoIP → W-CDMA CS → W-CDMA CS、
HSPA VoIP → W-CDMA CS → GSM(登録商標） CS.上記の各ハンドオーバー・シナリオでは、最初の転送HSPA VoIP → W-CDMA CSは、現在のサービング・セルで生ずる。後続のハンドオーバーは、現在のサービング・セルから他のW-CDMAセルまたはGSM(登録商標）セルまでであってもよい。
【００２９】
図３Ａ〜３Ｅに示されたHSPA VoIP to W-CDMAハンドオーバー・デザインは、3GPPにおけるネットワーク・エンテイテイ（network entities）に対して小さなインパクトで支援されうる。ステップ１、４、５および６は、UTRAN 120およびVCC AS 138の現在の能力によって支援される。ステップ２に対しては、UTRAN 120は、HSPA VoIP to W-CDMA CSハンドオーバーを開始すべきかどうかを判定するための適切なアルゴリズムおよび場合によってはこのハンドオーバーを開始するための新しいイベント（event）を有するネットワーク制御ハンドオーバー機構を実装してもよい。ステップ３に対しては、トリガまたはある他の新しいUTRANメッセージが、UE 110におけるCSコール確立を開始するために用いられてもよい。そのトリガは、既存の無線リソース制御（RRC）メッセージ、例えば、ページング・メッセージ（paging message）で送られうる情報要素（IE）で実装されてもよい。RRCは、W-CDMAにおけるリンク層（または層３）に存在しており、かつ下方の層１および２の構成を制御することに関与する。
【００３０】
UE 110は、W-CDMA またはGSM(登録商標）カバレージ・エリア（coverage area）内に配置されてもよく、かつUTRAN 120に対するCS音声コールを確立してもよい。UE 110は、CSコールに対する通常の態様で音声データを交換してもよい。UE 110は、ローミングしていてもよく、かつHSPAカバレージ・エリア内に移動してもよい。このような状況では、HSPAを用いてUE 110に対する音声コールを継続することが望ましいことがありうる。
【００３１】
他の態様では、W-CDMA CS to HSPA VoIPハンドオーバーは、UEに対する音声コールに対してHSPAを利用するためにUE 110に対して実行されてもよい。W-CDMA CS to HSPA VoIPハンドオーバーは、図３Ａ〜３Ｅに記載されたHSPA VoIP to W-CDMA CSハンドオーバーに対して相補性の態様で実行されてもよい。UE 110は、そのUEによって受信されるパイロットに対する測定を行い、そして測定レポートをUTRAN 120に送信してもよい。UTRAN 120は、UE 110がVoIP可能セル（VoIP capable cell）のカバレージに入ったことを、その測定レポートに基づいて判定してもよい。UTRAN 120は、UE 110によるハンドオーバーを開始するためのトリガを送信してもよい。そのトリガを受信すると、UE 110は、現在のサービング・セルから新しいサービング・セルになるVoIP可能セル（VoIP capable cell）へのCSコールのハンドオーバーを行ってもよい。UEは、次に、サービング・セルでVoIP(またはVoIPコール)に対するPSコールを設定してもよく、そしてこのVoIPコールをVCC AS 138にアンカー（anchor）してもよい。VoIPコールが首尾よく確立されると、VCC AS 138は、UE 110に対する音声コールのためのデータ経路を切り替えてもよく、そしてソースサイドにおけるCSコールに対するリソースをリリースしてもよい。UTRAN 120は、CSコールに対する無線リソースをリリースしてもよく、そしてUE 110に対するVoIPコールだけを維持してもよい。この時点で、UE 110は、新しいサービング・セルによってVoIPコールだけを有するであろう。VoIPコールに対するデータは、UTRAN 120における新しいサービング・セル、SGSN 132、GGSN 134、およびVCC AS 138を経由して交換されうる。
【００３２】
上述のデザインでは、UE 110は、測定レポートをUTRAN 120に送ってもよく、そしてUTRAN 120は、UE 110がHSPAカバレージ・エリアから出るまたはそのエリアに入る時に、ハンドオーバーを開始してもよい。これらのデザインでは、UTRAN 120は、HSPA VoIP能力を有するセルおよびHSPA VoIP能力を有していないセルのついての知識を有していてもよい。ハンドオーバー決定についてUTRAN 120を助成するために、HSPA VoIP能力を有するセルのバッファ・ゾーンがHSPAカバレージ・エリアの縁部に画定されてもよい。図２に示された実施例では、HSPAカバレージ・エリアは実線212によって画定されてもよく、そしてバッファ・ゾーンは実線212と破線214との間の領域として画定されてもよい。UE 110がバッファ・ゾーンに入ると、UTRAN 120は新しい測定イベント（new measurement event）をUE 110内に構成してよい。UE 110は、周期的にまたはイベントに基づいて測定レポートをUTRAN 120に送信してもよい。UTRAN 120は、（１）UE 110がVoIPコールを有しかつHSPAカバレージ・エリアから出つつあれば、HSPA VoIP to W-CDMA CSハンドオーバーを、あるいは（２）UE 110がCSコールを有しかつHSPAカバレージ・エリアに入りつつあれば、W-CDMA CS to HSPA VoIPハンドオーバーを開始するために測定レポートを用いてもよい。
【００３３】
他のデザインでは、UE 110は、測定を行い、そしてその測定に基づいて、HSPA VoIP へのW-CDMA CSまたはW-CDMA CSからHSPA VoIPへのハンドオーバーを自発的に決定してもよい。UE 110は、下記のように、所与のセルがHSPA VoIP能力を有するかどうかを、そのセルによって放送される情報に基づいて確認してもよい。
【００３４】
UE 110は、任意の時点において、接続モードまたはアイドル・モードで動作してもよい。接続モードでは、UE 110は、ペンデイング・コールを有していてもよく、UTRAN 120と通信してもよい。接続モードでは、UE 110のどのあたりかが測定レポートおよび（または）他の機構によって追跡されてもよく、そしてUE 110は、UE場所に基づいて適当なセルにハンドオーバーされてもよい。
【００３５】
アイドル・モードでは、UE 110は、UTRAN 120に対するペンデイング・コールを通常は有していない。アイドル・モードにある間に、UE 110は、バッテリ電力を節約するために多くの時間パワー・ダウン（powered down）されもよく、かつページおよび（または）他の情報を受信するために周期的にウエーク・アップ（wake up）してもよい。UE 110は、IMSのために（例えば、パワー・アップで）VCC AS 138に登録してもよく、そしてページとコールがUEに配信されるドメイン（例えば、CS、PS、HSPA、 VoIP、等）を提供してもよい。
【００３６】
さらに他の態様では、UTRAN 120におけるセルは、それらのHSPA VoIP能力を放送する。１つのデザインでは、所与のセルがHSPA VoIPを支援するかどうかを示すために単一のビットが用いられてもよい。W-CDMAに対しては、１つのセルは、システム情報ブロック（SIB）、例えば、3GPPにおけるSIB3および（または）他のSIBにおける、それのHSPA VoIP能力に関する情報を周期的に放送してもよい。
【００３７】
UE 110は、そのUEが現在キャンプ（camped）されているセルおよび（または）他のセルのHSPA VoIP能力に関する放送情報を受信してもよい。UE 110は、それのドメインが変化したかどうかを、受信された放送情報に基づいて判定してもよく、そしてドメインの変更が検知されると、ネットワーク登録を更新してもよい。例えば、UE 110は、それがHSPAカバレージ・エリアから外に出たことを、放送情報に基づいて判定してもよく、そしてそれのネットワーク登録をHSPA VoIPドメインからCSドメインに更新してもよい。ネットワーク登録を必要とされるように更新することにより、ネットワークは、アイドルUE 110がHSPAカバレージ・エリア内にあるかどうかを確認することができ、かつUEにページおよびコールを適切に配信することができる。
【００３８】
明瞭のために、ハンドオーバー技法は、3GPPベース・ネットワークについて具体的に記述された。その技法は、3GPP2ベース・ネットワークおよび他のネットワークに対しても用いられてもよい。3GPP2ベース・ネットワークは、ハイ・レート・パケット・データ（High Rate Packet Data）(HRPD)を支援するセルおよびCDMA2000 1Xを支援するセルを含む。HRPDは、1xEV-DO、1x-DO、等とも呼称される。CDMA2000 1Xは、1X、等とも呼称される。HRPDセルは、VoIPを支援し、1Xセルは、CSおよびPSコールを支援する。HRPD to 1Xハンドオーバー（HRPDから1Xへのハンドオーバー）は、上述したHSPA VoIP to W-CDMA CSハンドオーバーと類似の態様で実行されてもよい。1X to HRPDハンドオーバー（1XからHRPDへのハンドオーバー）は、上述したW-CDMA CS to HSPA VoIPハンドオーバーと類似の態様で実行されてもよい。
【００３９】
図４は、UEによるPS-to-CSハンドオーバー（PSからCSへのハンドオーバー）を実行するためのプロセス４００の１つのデザインを示す。UEは、PSコールに対する、例えば、VoIPに対する第１のセルと3GPPにおけるHSPAによって通信する（ブロック412）。UEは、例えば、RANからの測定イベントに応答して、測定レポートをRANに送信してもよい（ブロック414）。UEは、このUEからの測定レポートに基づいてトリガを発行しうるRANからトリガを受信してもよい（ブロック416）。あるいは、UEは、RANにおける第１のセルおよび他のセルに対する測定を得てもよいし、またその測定に基づいてハンドオーバーを実行することを自発的に決定してもよい。
【００４０】
UEは、PSコールが第１のセルにおいてペンデイング（pending）である間に、第１のセルに対してCSコールを確立してもよい（ブロック418）。UEは、CSコールを確立した後でPSコールを終了してもよい（ブロック420）。PSコールおよびCSコールは、音声コールに対するものであってもよく、そしてUEは、CSコールを確立した後でかつPSコールを終了する前に、音声コールに対するデータ経路をPSコールからCSコールに切り替えてもよい。このUEは、次に、第１のセルから第２のセルへのCSのハンドオーバーを行ってもよい（ブロック422）。第１のセルは、VoIPを支援するW-CDMAセルであってもよく、そして第２のセルは、VoIPを支援していない他のW-CDMAセルまたはGSM(登録商標）セルであってもよい。
【００４１】
図５は、RANによるUEのPS-to-CSハンドオーバーを実行するためのプロセス500の１つのデザインを示す。RANは、第１のセルにおけるPSコールに対して（例えば、HSPAによりVoIPに対して）UEと通信してもよい（ブロック512）。RANは、UEがPSコールに対してカバレージ縁部にあることを判定してもよく、そしてUEに測定レポートを送信させるためにUEに測定イベントを送信してもよい。RANは、UEから測定レポートを受信し（ブロック514）、その測定レポートに基づいて第１のセルから第２のセルにUEをハンドオーバーする決定をなし（ブロック516）、そしてUEにトリガを送信してもよい（ブロック518）。
【００４２】
RANは、PSコールが第１のセルにおいてペンデイング（pending）である間に、第１のセルにおいてUEに対するCSコールを確立してもよい（ブロック520）。RANは、CSコールを確立した後でUEに対するPSコールを終了してもよい（ブロック522）。PSコールおよびCSコールは音声コールに対するものであってよく、そしてその音声コールに対するデータ経路は、CSコールを確立した後でかつPSコールを終了する前に、PSコールからCSコールに切り替えられてもよい。RANは、次に、UEに対するCSコールの第１のセルから第２のセルへのハンドオーバーを行ってもよい（ブロック524）。第１のセルはVoIPを支援してもよく、そして第２のセルはVoIPを支援しなくてもよい。
【００４３】
図５におけるステップの幾つかまたはすべては、RANにおける所与のネットワーク・エンテイテイに適用可能であってもよい。例えば、第１のセルは、ステップ512、520、522、524、等を実行してもよい。RNCは、ステップ514、516、518、等を実行してもよい。
【００４４】
図６は、UEによるCS-to-PSハンドオーバーを実行するためのプロセス600の１つのデザインを示す。UEは、測定レポートをRANに送信してもよく（ブロック612）、そしてRANからトリガ（trigger）を受信してもよい（ブロック614）。UEは、第１のセルから第２のセルへのCSコールのハンドオーバーを実行してもよい（ブロック616）。UEは、次に、CSコールが第２のセルにおいてペンデイング（pending）である間に、第２のセルに対してPSコールを確立してもよい（618）。UEは、PSコールを確立した後でCSコールを終了してもよく（ブロック622）、そしてPSコールに対して、例えば、HSPAによりVoIPに対して第２のセルと通信してもよい（ブロック622）。
【００４５】
図７は、UEのCS-to-PSハンドオーバーをRANにより実行するためのプロセス700の１つのでザインを示す。RANは、UEがPSカバレージに入りつつあることを判定してもよく、そしてUEに測定レポートを送信させるために測定イベントをUEに送信してもよい。RANは、UEから測定レポートを受信し（ブロック712）、その測定レポートに基づいてUEに対するハンドオーバー決定を行い（ブロック714）、そしてトリガをUEに送信してもよい（716）。
【００４６】
RANは、UEに対するCSコールの第１のセルから第２のセルへのハンドオーバーを実行してもよい（ブロック718）。RANは、次に、CSコールが第２のセルにおいてペンデイング（pending）である間に、第２のセルにおいてUEに対するPSコールを確立してもよい（ブロック720）。RANは、PSコールを確立した後で、UEに対するCSコールを終了してもよい（ブロック722）。RANは、その後で、第２のセルにおいてPSコールに対して（例えば、HSPAによりVoIPに対して）UEと通信してもよい（ブロック724）。
【００４７】
図８は、UEによりネットワーク登録を更新するためのプロセス800の１つのデザインを示す。UEは（例えばアイドル・モードにある間に）、１つのセルから、そのセルがVoIP能力を有しているかどうかを示す放送情報を受信してもよい（ブロック812）。放送情報は、セルがHSPA VoIP能力を有しているかどうかを示す１つのビットまたは他の情報を備えていてもよい。UEは、放送情報に基づいてネットワークに対する登録を更新してもよい（ブロック814）。ブロック814に対して、UEは、新しいコールに対して使用するためのドメインを放送情報に基づいて判定してもよく、そしてドメインの変更が検知されれば、ネットワークに対する登録を更新してもよい。例えば、UEは、セルがVoIP能力を有していれば、PSドメインに対するネットワークに対して登録してもよく、そしてセルがVoIP能力を有していなければ、CSドメインに対するネットワークに対して登録してよい。
【００４８】
図９は、図１におけるUE 110および種々のネットワーク・エンテイテイのデザインのブロック図を示す。アップリンクでは、UE 110は、データおよびシグナリング（signaling）（例えば、測定レポート）をUTRAN 120における１つまたはそれより多いセル/ノードB122に送信してもよい。データおよびシグナリングは、ノードB（複数）に送信さうるアップリンク信号を生成するために、コントローラ/プロセッサ910によって処理され、そして送信機（TMTR）914によって調整（conditioned）されてもよい。各ノードB 122において、UE 110および他のUE（複数）からのアップリンク信号が受信機(RCVR) 924によって受信されかつ調整され、そしてUE（複数）によって送られたアップリンク・データおよびシグナリングを回復するようにコントローラ/プロセッサ920によって更に処理されてもよい。
【００４９】
ダウンリンクでは、各ノードB 122は、それのカバレージ・エリア内のUE（複数）にデータおよびシグナリングを送信してもよい。各ノードB 122において、データおよびシグナリング（例えば、VoIP能力情報、等）は、UE（複数）に送信されうるダウンリンク信号を生成するために、プロセッサ920によって処理され、そして送信機924によって調整されてもよい。UE 110において、ノードB（複数）122からのダウンリンク信号は、ダウンリンク・データおよびシグナリングを回復するために、受信機914によって受信されかつ調整され、そしてプロセッサ910によって更に処理されてもよい。
【００５０】
メモリ912および922は、UE 110およびノードB 122に対するプログラム・コードおよびデータをそれぞれ記憶してもよい。通信(Comm)ユニット926は、ノードB 122をRNC 124と通信させることができる。UE 110におけるプロセッサ910は、図４におけるプロセス400、図６におけるプロセス600、および（または）ハンドオーバーのためのプロセスを実行してもよい。プロセッサ910は、図８におけるプロセス800および（または）ネットワーク登録を更新するための他のプロセスを実行してもよい。
【００５１】
RNC 124は、コントローラ/プロセッサ930、メモリ932、およびCommユニット934を含んでいる。VCC AS 138は、コントローラ/プロセッサ940、メモリ942、およびCommユニット944を含んでいる。各ネットワーク・エンテイテイに対して、コントローラ/プロセッサは、そのネットワーク・エンテイテイに対する該当の処理を行ってもよく、メモリは、プログラム・コードおよびデータを記憶してもよく、そして通信ユニットは、他のネットワーク・エンテイテイとの通信を支援してもよい。ノードB 122におけるプロセッサ920および（または）RNC 124におけるプロセッサ930は、図５におけるプロセス500、図７におけるプロセス700、および（または）ハンドオーバーのためのプロセスを実行してもよい。
【００５２】
一般に、各エンテイテイは、任意の数のプロセッサ、メモリ、通信ユニット、送信機、受信機、コントローラ、等を含んでいてもよい。
【００５３】
当業者は、情報および信号が種々の異なる技術および技法のうちの任意のものを用いて表示されうることを理解するであろう。例えば、上記の説明全体にわたって参照されうるデータ、命令、コマンド、情報、信号、ビット、シンボルは、電圧、電流、電磁気、波形、磁界または粒子、光場または粒子、またはそれらの任意の組み合わせによって表されうる。
【００５４】
当業者はまた、ここにおける開示に関連して記述された種々の例示的論理ブロック、モジュール、回路、およびアルゴリズム・ステップは、電子的ハードウエア、コンピュータ・ソフトウエア、または両者の組み合わせとして実装されてもよいことを理解するであろう。ハードウエアとソフトウエアとのこの互換可能性を明白に例証するために、種々の例示的コンポーネント、ブロック、モジュール、回路、およびステップが、それらの機能性について上記において一般的に記述された。このような機能性がハードウエアとしてあるいはソフトウエアとして実装されるかどうかは、システム全体に課せられる特定の用途およびデザイン上の制約による。当業者は、各特定の用途に対して種々の態様で上記の機能性を実装してもよいが、このような実装は、本発明の範囲からの逸脱を生じさせると解釈されるべきではない。
【００５５】
ここでの開示に関連して記述された種々の例示的な論理ブロック、モジュール、および回路は、汎用プロセッサ、デジタル信号プロセッサ（DSP）、特定用途用集積回路（ASIC）、書換え可能ゲートアレイまたは他のプログラム可能論理デバイス、デイスクリート・ゲートまたはトランジスタ・ロジック、デイスクリート・ハードウエア・コンポーネント、あるいはここに記述された機能を実行するように設計されたそれらの任意の組み合わせで実装または実行されてもよい。汎用プロセッサは、マイクロプロセッサであってもよいが、代案では、そのプロセッサは、任意の従来のプロセッサ、コントローラ、マイクロコントローラ、またはステート・マシンであってもよい。プロセッサはまた、計算デバイスの組み合わせ、例えば、DSPおよびマイクロプロセッサの組み合わせ、複数のマイクロプロセッサ、DSPコアに関連した１つまたはそれより多いマイクロプロセッサ、または任意の他のこのような構成として実装されてもよい。
【００５６】
ここでの開示に関連して記述された方法およびアルゴリズムのステップは、ハードウエアで、プロセッサによって実行されるソフトウエア・モジュールで、またはそれら２つの組み合わせで直接に具体化されてもよい。ソフトウエア・モジュールは、RAMメモリ、フラッシュ・メモリ、ROMメモリ、EPROMメモリ、EEPROM（登録商標）メモリ、レジスタ、ハードデイスク、リムーバブル・デイスク、CD-ROM、または任意の他の形式の公知の記憶媒体内に存在していてもよい。例示的な記憶媒体は、プロセッサがこの記憶媒体から情報を読み取りかつその記憶媒体に情報を書き込むことができるように、そのプロセッサに連結される。代案では、記憶媒体は、プロセッサと一体であってもよい。プロセッサおよび記憶媒体はASICに存在していてもよい。ASICはユーザ端末内に存在していてもよい。代案では、プロセッサおよび記憶媒体は、ユーザ端末内にデイスクリート・コンポーネントとして存在していてもよい。
【００５７】
本発明についての上記の記述は、当業者が本発明を実施するまたは使用することができるようにするために提示されている。この開示に対する種々の修正が当業者には容易に明らかになるであろう、そしてここに定義された一般的な原理は、本発明の範囲から逸脱することなしに、他の変更に適用されうる。従って、本発明は、ここに記述された実施例およびデザインに限定されるように意図されておらず、ここに開示された原理および新規な特徴に合致した最も広い範囲を与えられるべきである。
【図１】
2015222962.tif 000003
【図３Ａ】
2015222962.tif 000004
【図３Ｂ】
2015222962.tif 000005
【図３Ｃ】
2015222962.tif 000006
【図３Ｄ】
2015222962.tif 000007
【図３Ｅ】
2015222962.tif 000008
【図４】
2015222962.tif 000009
【図５】
2015222962.tif 000010
【図６】
2015222962.tif 000011
【図７】
2015222962.tif 000012
【図８】
2015222962.tif 000013
【図９】
2015222962.tif 000014
【図２】
2015222962.tif 000015
【手続補正書】
【提出日】平成27年8月3日(2015.8.3)
【手続補正１】
【補正対象書類名】特許請求の範囲
【補正対象項目名】全文
【補正方法】変更
【補正の内容】
【特許請求の範囲】
【請求項１】
パケット切替（PS）コールのための第１のセルと通信するための、無線アクセス・ネットワーク（RAN）からトリガを受信するための、前記トリガに応答して前記PSコールが前記第１のセルにおいてペンデイングである間に前記第１のセルに対して回路切替（CS）コールを確立するための、前記CSコールを確立した後に前記PSコールを終了するための、そして前記第１のセルから前記第２のセルへの前記CSコールのハンドオーバーを実行するための少なくとも１つのプロセッサと、
前記少なくとも１つのプロセッサに結合されたメモリとを備える、無線通信のための装置。
【手続補正２】
【補正対象書類名】明細書
【補正対象項目名】００５７
【補正方法】変更
【補正の内容】
【００５７】
本発明についての上記の記述は、当業者が本発明を実施するまたは使用することができるようにするために提示されている。この開示に対する種々の修正が当業者には容易に明らかになるであろう、そしてここに定義された一般的な原理は、本発明の範囲から逸脱することなしに、他の変更に適用されうる。従って、本発明は、ここに記述された実施例およびデザインに限定されるように意図されておらず、ここに開示された原理および新規な特徴に合致した最も広い範囲を与えられるべきである。
以下に、出願当初の特許請求の範囲に記載された発明を付記する。
［Ｃ１］
パケット切替（PS）コールのための第１のセルと通信するための、無線アクセス・ネットワーク（RAN）からトリガを受信するための、前記トリガに応答して前記PSコールが前記第１のセルにおいてペンデイングである間に前記第１のセルに対して回路切替（CS）コールを確立するための、前記CSコールを確立した後に前記PSコールを終了するための、そして前記第１のセルから前記第２のセルへの前記CSコールのハンドオーバーを実行するための少なくとも１つのプロセッサと、
前記少なくとも１つのプロセッサに結合されたメモリとを備える、無線通信のための装置。
［Ｃ２］
前記PSコールおよび前記CSコールは、音声コールに対するものであり、前記少なくとも１つのプロセッサは、前記CSコールを確立した後に前記音声コールに対するデータ経路を前記PSコールから前記CSコールへと切り替える、Ｃ１の装置。
［Ｃ３］
前記PSコールは、ボイス・オーバー・インターネット・プロトコル（VoIP）に対するものであり、前記第１のセルはVoIPを支援し、前記第２のセルはVoIPを支援しない、Ｃ１の装置。
［Ｃ４］
前記少なくとも１つのプロセッサは、測定レポートを前記RANに送信し、前記RANからのトリガは前記測定レポートに基づく、Ｃ１の装置。
［Ｃ５］
前記少なくとも１つのプロセッサは、前記RANから測定イベントを受信しかつ該測定イベントに応答して前記測定レポートを送信する、Ｃ４の装置。
［Ｃ６］
前記少なくとも１つのプロセッサは、前記第１のセルおよび近隣のセルに対する測定を取得しかつ該測定に基づいてハンドオーバーを実行するための決定を行う、Ｃ１の装置。
［Ｃ７］
前記少なくとも１つのプロセッサは、前記PSコールのためにハイ・スピード・パケット・アクセス（HSPA）によって前記第１のセルと通信する、Ｃ１の装置。
［Ｃ８］
前記少なくとも１つのプロセッサは、前記PSコールのためにハイ・レート・パケット・データ（HRPD）によって前記第１のセルと通信する、Ｃ１の装置。
［Ｃ９］
前記第１のセルはW-CDMAセルであり、前記第２のセルは他のW-CDMAセルまたはGSM(登録商標）セルである、Ｃ１の装置。
［Ｃ１０］
パケット切替（PS）コールのために第１のセルと通信すること、
無線アクセス・ネットワーク（RAN）からトリガを受信すること、
前記PSコールが前記第１のセルにおいてペンデイングである間に前記トリガに応答して前記第１のセルに対して回路切替（CS）コールを確立すること、
前記CSコールを確立した後に前記PSコールを終了すること、
前記第１のセルから第２のセルへの前記CSコールのハンドオーバーを実行することを備える、無線通信のための方法。
［Ｃ１１］
測定レポートを前記RANに送ることを更に備え、前記RANからの前記トリガは前記測定レポートに基づく、Ｃ１０の方法。
［Ｃ１２］
前記PSコールのために前記第１のセルと通信することは、
前記PSコールのためにハイ・スピード・パケット・アクセス（HSPA）によって前記第１のセルと通信することを備える、Ｃ１０の方法。
［Ｃ１３］
パケット切替（PS）コールのために第１のセルと通信するための手段と、
無線アクセス・ネットワーク（RAN）からトリガを受信するための手段と、
前記PSコールが前記第１のセルにおいてペンデイングである間に前記トリガに応答して前記第１のセルに対して回路切替（CS）コールを確立するための手段と、
前記CSコールを確立した後で前記PSコールを終了するための手段と、
前記第１のセルから第２のセルへの前記CSコールのハンドオーバーを実行するための手段とを備える、無線通信のための装置。
［Ｃ１４］
測定レポートを前記RANに送信するための手段を更に備え、
前記RANからの前記トリガは前記測定レポートに基づく、Ｃ１３の装置。
［Ｃ１５］
前記PSコールのために前記第１のセルと通信するための手段は、
前記PSコールのためにハイ・スピード・パケット・アクセス（HSPA）によって前記第１のセルと通信するための手段を備える、Ｃ１３の装置。
［Ｃ１６］
パケット切替（PS）コールのために第１のセルと通信するため、
無線アクセス・ネットワーク（RAN）からトリガを受信するため、
前記PSコールが前記第１のセルにおいてペンデイングである間に前記トリガに応答して前記第１のセルに対して回路切替（CS）コールを確立するため、
前記CSコールを確立した後で前記PSコールを終了するため、
前記第１のセルから第２のセルへの前記CSコールのハンドオーバーを実行するために、ユーザ装置（UE）において動作可能な命令を記憶するためのプロセッサ可読媒体。
［Ｃ１７］
第１のセルにおいてパケット切替（PS）コールのためにユーザ装置（UE）と通信するため、トリガを前記UEに送信するため、前記PSコールがペンデイングである間に前記第１のセルにおいて前記UEに対する回路切替（CS）コールを確立するため、前記CSコールを確立した後で前記UEのための前記PSコールを終了するため、および前記第１のセルから第２のセルへの前記UEに対する前記CSコールのハンドオーバーを実行するための少なくとも１つのプロセッサと、
前記少なくとも１つのプロセッサに結合されたメモリとを備える、無線通信のための装置。
［Ｃ１８］
前記PSコールおよび前記CSコールは音声コールに対するものであり、前記少なくとも１つのプロセッサは、
前記CSコールを確立した後で前記音声コールに対するデータ経路を前記PSコールから前記CSコールへと切り替える、Ｃ１７の装置。
［Ｃ１９］
前記PSコールは、ボイス・オーバー・インターネット・プロトコル（VoIP）に対するものであり、前記第１のセルはVoIPを支援し、前記第２のセルはVoIPを支援しない、Ｃ１７の装置。
［Ｃ２０］
前記少なくとも１つのプロセッサは、前記UEから測定レポートを受信し、該測定レポートに基づいて前記第１のセルから前記第２のセルへと前記UEをハンドオーバーする決定を行い、そして該決定に応答して前記トリガを前記UEに送る、Ｃ１７の装置。
［Ｃ２１］
前記少なくとも１つのプロセッサは、前記UEが前記PSコールに対するカバレージ縁部にあることを判定し、そして前記UEに前記測定レポートを送信させるために測定イベントを前記UEに送信する、Ｃ２０の装置。
［Ｃ２２］
前記少なくとも１つのプロセッサは、前記PSコールのためにハイ・スピード・パケット・アクセス（HSPA）によって前記UEと通信する、Ｃ１７の装置。
［Ｃ２３］
前記少なくとも１つのプロセッサは、前記第１のセルがハイ・スピード・パケット・アクセス（HSPA）ボイス・オーバー・インターネット・プロトコル（VoIP）能力を有することを示す情報を放送する、Ｃ１７の装置。
［Ｃ２４］
第１のセルにおいてパケット切替（PS）コールのためにユーザ装置（UE）と通信すること、
トリガを前記UEに送信すること、
前記PSコールがペンデイングである間に前記第１のセルにおいて前記UEに対して回路切替（CS）コールを確立すること、
前記CSコールを確立した後で前記UEに対する前記PSコールを終了すること、
前記第１のセルから第２のセルへの前記UEに対する前記CSコールのハンドオーバーを実行することを備える、無線通信のための方法。
［Ｃ２５］
測定リポートを前記UEから受信すること、および
前記測定レポートに基づいて前記第１のセルから前記第２のセルへと前記UEをハンドオーバーする決定をおこなうことを更に備え、
該決定に応答して、前記トリガが前記UEへ送信される、Ｃ２４の方法。
［Ｃ２６］
前記PSコールのために前記UEと通信することは、
前記PSコールのためにハイ・スピード・パケット・アクセス（HSPA）によって前記UEと通信することを備える、Ｃ２４の方法。
［Ｃ２７］
前記第１のセルは、ハイ・スピード・パケット・アクセス（HSPA）ボイス・オーバー・インターネット・プロトコル（VoIP）能力を有することを示す情報を放送することを更に備える、Ｃ２４の方法。
［Ｃ２８］
無線アクセス・ネットワーク（RAN）からトリガを受信するための、該トリガに応答して第１のセルから第２のセルへの回路切替（CS）コールのハンドオーバーを実行するための、前記CSコールが前記第２のセルにおいてペンデイングである間に前記第２のセルに対してパケット切替（PS）コールを確立するための、前記PSコールを確立した後で前記CSコールを終了するための、および前記PSコールのために前記第２のセルと通信するための少なくとも１つのプロセッサと、
前記少なくとも１つのプロセッサに結合されたメモリとを備える、無線通信のための装置。
［Ｃ２９］
前記少なくとも１つのプロセッサは、測定レポートを前記RANに送信し、該RANからの前記トリガは前記測定レポートに基づく、Ｃ２８の装置。
［Ｃ３０］
前記少なくとも１つのプロセッサは、前記PSコールのためにハイ・スピード・パケット・アクセス（HSPA）によって前記第２のセルと通信する、Ｃ２８の装置。
［Ｃ３１］
ユーザ装置（UE）にトリガを送信するための、第１のセルから第２のセルへの前記UEに対する回路切替（CS）コールのハンドオーバーを実行するための、前記CSコールが前記第２のセルにおいてペンデイングである間に前記第２のセルにおいて前記UEに対する回路切替（CS）コールを確立するための、前記PSコールを確立した後で前記UEに対するCSコールを終了するための、および前記第２のセルにおいて前記PSコールのために前記UEと通信するための少なくとも１つのプロセッサと、
前記少なくとも１つのプロセッサに結合されたメモリとを備える、無線通信のための装置。
［Ｃ３２］
１つのセルがボイス・オーバー・インターネット・プロトコル（VoIP）能力を有するかどうかを示す該セルからの放送情報を受信するための、および前記放送情報に基づいてネットワークに対する登録を更新するための少なくとも１つのプロセッサと、
前記少なくとも１つのプロセッサに結合されたメモリとを備える、無線通信のための装置。
［Ｃ３３］
前記少なくとも１つのプロセッサは、アイドル・モードにある間に前記セルから放送情報を受信し、該放送情報に基づいて新しいコールに対して使用するためのドメインを判定し、そしてドメインの変更が検知されると前記ネットワークに対する登録を更新する、Ｃ３２の装置。
［Ｃ３４］
前記少なくとも１つのプロセッサは、前記セルがVoIP能力を有していればパケット切替（PS）ドメインのためのネットワークに対して登録し、前記セルがVoIP能力を有していなければ回路切替（CS）ドメインのためのネットワークに対して登録する、Ｃ３３の装置。
［Ｃ３５］
前記放送情報は、前記セルがハイ・スピード・パケット・アクセス（HSPA）VoIP能力を有するかどうかを示すビットを備える、Ｃ３２の装置。
［Ｃ３６］
１つのセルがボイス・オーバー・インターネット・プロトコル（VoIP）能力を有するかどうかを示す該セルからの放送情報を受信すること、および
前記放送情報に基づいてネットワークに対する登録を更新することを備える、無線通信のための方法。
［Ｃ３７］
アイドル・モードにある間に前記放送情報が前記セルから受信され、前記ネットワークに対する登録を更新することは、
前記放送情報に基づいて新しいコールのために使用するためのドメインを判定すること、および
ドメインの変更が検知されると前記ネットワークに対する登録を更新することを備える、Ｃ３６の方法。
［Ｃ３８］
１つのセルがボイス・オーバー・インターネット・プロトコル（VoIP）能力を有するかどうかを示す該セルからの放送情報を受信するための手段と、
前記放送情報に基づいてネットワークに対する登録を更新するための手段とを備える、無線通信のための装置。
［Ｃ３９］
アイドル・モードにある間に前記セルから前記放送情報が受信され、前記ネットワークに対する登録を更新するための手段は、
前記放送情報に基づいて新しいコールに対して使用するためのドメインを判定するための手段と、
ドメインの変更が検知されると前記ネットワークに対する登録を更新するための手段とを備える、Ｃ３８の装置。
【外国語明細書】
2015222962000001.pdf